(57)【要約】【課題】方向性カプラに関し、カップリングラインと信号ラインの間の静電容量を補償できる静電容量補償型方向性カプラ及び多種バンド用ＩＰＤを提供する。【解決手段】この方向性カプラは、信号を伝達する信号ライン31a、31b；前記信号ラインを通って伝達される信号の一部電力を抽出するように前記信号ラインと所定間隔離隔され並んで形成され、その一端に抽出された電力を伝達し、他端は終端処理されたカップリングライン300a、300b；カップリングラインと電気的に連結され、信号ラインと離隔されて垂直方向に重畳される領域を有するようカップリングラインから信号ライン方向に形成された少なくとも一つの導電性ライン34a〜34dを含み、前記導電性ラインと信号ラインが垂直方向に重畳された領域において静電容量を形成し、前記各ライン相互間の静電容量を補償する。【選択図】図３
2006229941.tif 000002
【特許請求の範囲】
【請求項１】
信号を伝達する信号ライン；
前記信号ラインを通って伝達される信号の一部電力を抽出するように、前記信号ラインと所定間隔離隔され並んで形成され、その一端に前記抽出された電力を伝達し、他端は終端処理されたカップリングライン；及び
前記カップリングラインと電気的に連結され、前記信号ラインと離隔され垂直方向に重畳される領域を有するよう前記カップリングラインから前記信号ライン方向に形成された少なくとも一つの導電性ラインを含み、
前記導電性ラインと信号ラインが垂直方向に重畳された領域において静電容量を形成することにより、前記信号ラインとカップリングラインの間の静電容量を補償することを特徴とする静電容量補償型方向性カプラ
【請求項２】
前記少なくとも一つの導電性ラインは、
前記抽出された電力を伝達するカップルリングラインの一端に電気的に連結され、前記信号ラインと離隔され垂直方向に重畳される領域を有するよう前記カップリングから前記信号ライン方向に形成され、前記カップリングラインから抽出された電力を伝達することを特徴とする請求項１に記載の静電容量補償型方向性カプラ。
【請求項３】
前記少なくとも一つの導電性ラインは、
前記抽出された電力を伝達するカップリングライン一端に対する他端に電気的に連結され、前記信号ラインと離隔され垂直方向に重畳される領域を有するよう前記カップリングラインから前記信号ライン方向に形成され、その一端が終端処理されたことを特徴とする請求項１に記載の静電容量補償型方向性カプラ。
【請求項４】
前記少なくとも一つの導電性ラインは、
その幅を変更して前記信号ラインと重畳される領域の面積を調整することにより、前記信号ラインとカップリングラインの間の静電容量の大きさを調整することを特徴とする請求項１に記載の静電用量補償型方向性カプラ。
【請求項５】
多重バンド移動通信端末機において、電力増幅器によって増幅された多重バンド送信信号の一部電力をそれぞれ抽出し、前記抽出された電力を前記電力増幅器の利得を制御する利得制御部に提供するための多重バンド用ＩＰＤにおいて、
少なくとも一つの中心周波数を有する第１送信信号及び前記第１送信信号と異なる中心周波数を有する少なくとも一つの第２送信信号をそれぞれ入力として受ける第１入力端及び第２入力端；
前記第１及び第２入力端からそれぞれ入力された前記第１及び第２送信信号をそれぞれ伝達する第１信号ライン及び第２信号ライン；
前記第１及び第２信号ラインからそれぞれ伝達された第１及び第２送信信号を出力する第１出力端及び第２出力端；
前記第１信号ラインを通って伝達される第１送信信号の一部電力を抽出するように、前記第１信号ラインと所定間隔離隔され並んで形成され、その一端に前記抽出された電力を伝達し、他端は終端処理された第１カップリングライン；
前記第１送信信号から抽出された電力を伝達する前記第１カップリングラインの一端に電気的に連結され、前記第１信号ラインと離隔され垂直方向に重畳される領域を有するよう前記第１カップリングラインから前記第１信号ライン方向に形成され、前記第１カップリングラインから抽出された電力を伝達する第１導電性ライン；
前記第２信号ラインを通って伝達される第２送信信号の一部電力を抽出するように、前記第２信号ラインと所定間隔離隔され並んで形成され、その一端に前記抽出された電力を伝達し、他端は終端処理された第２カップリングライン；
前記第２送信信号から抽出された電力を伝達する前記第２カップリングラインの一端に電気的に連結され、前記第２信号ラインと離隔され垂直方向に重畳される領域を有するよう前記第２カップリングラインから前記第２信号ライン方向に形成され、前記第２カップリングラインから抽出された電力を伝達する第２導電性ライン；
前記第１信号及び第２導電性ラインから伝達された電力を互いに分離させるデュプレクサ；及び
前記デュプレクサから分離した電力を出力し、前記利得制御部と連結された第３出力端を含み、
前記第１及び第２導電性ラインと前記第１及び第２信号ラインがそれぞれ垂直方向に重畳された領域において静電容量を形成することにより、前記第１及び第２信号ラインと前記第１及び第２カップリングラインの間の静電容量をそれぞれ補償することを特徴とする多重バンド用ＩＰＤ。
【請求項６】
前記抽出された電力を伝達する第１及び第２カップリングライン一端に対する他端にそれぞれ電気的に連結され、前記第１及び第２信号ラインと離隔され垂直方向に重畳される領域を有するよう前記第１及び第２カップリングラインから前記第１及び第２信号ライン方向にそれぞれ形成され、その一端がそれぞれ終端処理された第３及び第４導電性ラインをさらに含むことを特徴とする請求項５に記載の多重バンド用ＩＰＤ。
【請求項７】
前記第１及び第２導電性ラインは、
その幅を変更して前記第１及び第２信号ラインと重畳される領域の面積をそれぞれ調整することにより、前記第１及び第２信号ラインと第１及び第２カップリングラインの間に形成される静電容量の大きさをそれぞれ調整することを特徴とする請求項５に記載の多重バンド用ＩＰＤ。
【請求項８】
前記第３及び第４導電性ラインは、
該幅を変更して前記第１及び第２信号ラインと重畳される領域の面積をそれぞれ調整することにより、前記第１及び第２信号ラインと第１及び第２カップリングラインの間に形成される静電容量の大きさをそれぞれ調整することを特徴とする請求項６に記載の多重バンド用ＩＰＤ。
【発明の詳細な説明】
【技術分野】
【０００１】
本発明は方向性カプラ（ｄｉｒｅｃｔｉｏｎａｌ  ｃｏｕｐｌｅｒ）に関するもので、より詳しくは集積受動素子（Ｉｎｔｅｇｒａｔｅｄ  Ｐａｓｓｉｖｅ  Ｄｅｖｉｃｅ  ：ＩＰＤ、以下‘ＩＰＤ’という）内において、信号ライン及びカップリングラインの間に方向性改善のための静電容量を簡単に形成することができ、静電容量を形成するための別途のキャパシターを採用しないことにより、ＩＰＤの小型化を可能にする静電容量補償型方向性カプラ及びこれを備えた多重バンド用ＩＰＤに関する。
【背景技術】
【０００２】
一般的に、方向性カプラは電力抽出及び電力配分に使用される電気素子である。とりわけ、移動通信端末機において、信号ラインを通して送信される送信信号の電力を増幅させる電力増幅器の利得を制御するために、前記信号ラインを通して伝達される送信信号の電力の一部を抽出するのに、この方向性カプラが活用されている。
【０００３】
図１は方向性カプラが適用された移動通信端末機の送受信回路の概略構成図である。とりわけ、図１は二つ以上の周波数帯域において移動通信サービスを利用することができる多重バンド用移動通信端末機の送受信回路を図示する。図１に図示したように、アンテナ（ＡＮＴ）から受信された信号はＲＦスィッチ（１１）によって受信された信号の周波数帯域に応じて区分されて出力され、フィルター／マッチング回路部（１２）を経てＲＦ送受信部（１３）でベースバンド信号に変換され、変換されたベースバンド信号はベースバンド処理部（１４）で処理されて最終的に使用者が受信することが可能になる。また、前記ＲＦ送受信部（１３）は、ベースバンド処理部（１４）からベースバンド信号を受信してＲＦ信号に変換し、該変換されたＲＦ信号を周波数帯域に応じて区分して出力し、前記ＲＦ送受信部（１３）から出力されたそれぞれの信号は、電力増幅器（１５ａ、１５ｂ）から所定の利得で電力増幅された後、ＲＦスィッチ（１１）を経てアンテナ（ＡＮＴ）を通して外部に送信される。
【０００４】
前記移動通信端末機の送信過程において、電力増幅器（１５ａ、１５ｂ）は送信に適切な利得で送信信号を増幅すべきである。該電力増幅器（１５ａ、１５ｂ）の利得を適切に制御するために、電力増幅器（１５ａ、１５ｂ）から出力された増幅信号の一部電力を抽出した後、抽出された電力を利用して利得の増減を調節する。このように、電力増幅器（１５ａ、１５ｂ）の利得制御のために送信信号の電力の一部を抽出するために送信ラインにカップリングライン（１６ａ、１６ｂ）を適用した方向性カプラを用いるようになる。
【０００５】
前記方向性カプラは、送信ラインを通って伝達される送信信号の電力の一部をカップリングライン（１６ａ、１６ｂ）を通して抽出し、該抽出された電力をデュプレクサ（１７）を経て利得制御部（１８）に伝達する。利得制御部（１８）は抽出された電力の大きさによって電力増幅器（１５ａ、１５ｂ）の利得を適切に制御する。前記デュプレクサ（１７）は一つの信号ラインから抽出された電力が他信号ライン側に伝達されることを防止しながら、利得制御部（１８）に伝達する機能をする。
【０００６】
前述した移動通信端末機の送受信回路において、送信信号の電力を抽出するための方向性カプラ及びデュプレクサ（１７）はＩＰＤ（Ｉｎｔｅｇｒａｔｅｄ  Ｐａｓｓｉｖｅ  Ｄｅｖｉｃｅ）の形態で製作され得る。該ＩＰＤ技術は一般的に知られている半導体ＩＣ工程を利用して複数の受動素子を集積させ所定回路を一つのチップ形態で製作する技術として、個別素子を実装する方式に比して実装面積を減らすことができ、製造上の工程誤差を減少させることができ、品質を揃えることができるという長所があることから、移動通信端末機のような軽量化、小型化が要求される分野に積極的に活用されている。図２は図１の参照符号‘Ａ’で表示された部分をＩＰＤで製作した一例を図示する。
【０００７】
図２を参照すれば、従来のＩＰＤで製作したカプラは送信信号を伝達する信号ライン（２１ａ、２１ｂ）と、前記信号ライン（２１ａ、２１ｂ）と所定間隔離隔されて並んで配置されたカップリングライン（２００ａ、２００ｂ）と、前記カップリングライン（２００ａ、２００ｂ）の一端と前記信号ライン（２１ａ、２１ｂ）の間に静電容量を形成する補償キャパシター（２３ａ、２３ｂ）を含んで構成される。図２は図１に図示された多重バンド用移動通信端末機に用いられることができるカプラを図示する。多重バンド用移動通信端末機においては、信号ライン（２１ａ、２１ｂ）及びカップリングライン（２００ａ、２００ｂ）がそれぞれ二つずつ形成され、高周波帯域及び低周波帯域に大きく区分して前記信号ライン（２１ａ、２１ｂ）及びカップリングライン（２００ａ、２００ｂ）を使用することができる。
【０００８】
前記信号ライン（２１ａ、２１ｂ）は、移動通信端末機の電力増幅器（図１の１５ａ、１５ｂ）から所定利得で増幅された送信信号をアンテナ側に伝達する。前記カップリングライン（２００ａ、２００ｂ）は前記信号ライン（２１ａ、２１ｂ）と所定間隔離隔されて並んで配置されることにより、前記信号ライン（２１ａ、２１ｂ）と共にカプラを形成する。前記カップリングライン（２００ａ、２００ｂ）は前記信号ライン（２１ａ、２１ｂ）に送信される送信信号の一部電力を抽出する。前記カップリングライン（２００ａ、２００ｂ）から抽出された送信信号の一部電力はデュプレクサ（１７）を経て利得制御部（図１の１８）に伝達され、利得制御部（図１の１８）は該伝達した電力によって電力増幅器（図１の１５ａ、１５ｂ）の利得を制御する。
【０００９】
前記カップリングライン（２００ａ、２００ｂ）は信号ライン（２１ａ、２１ｂ）を通って伝達される送信信号の電力を一部抽出するが、この際、送信信号にほぼ影響を及ぼさない微量の電力を抽出すべきである。従って、カップリングライン（２００ａ、２００ｂ）の長さは電力増幅器の利得制御が可能な最少の電力を抽出するために、その長さが短く形成され、前記カップリングライン（２００ａ、２００ｂ）の長さが短くなれば短くなるほど、カプラの方向性が低下される。
【００１０】
すなわち、カップリングライン（２００ａ、２００ｂ）から抽出された電力がデュプレクサ（１７）側に伝達されず、カップリングライン（２００ａ、２００ｂ）の一端に終端処理（ｔｅｒｍｉｎａｔｉｏｎ）された側（２２ａ、２２ｂ）に伝達される。このような方向性低下の短所を解決するため、従来では信号ライン（２１ａ、２１ｂ）とカップリングライン（２００ａ、２００ｂ）の間に所定の静電容量を形成するインターデジタル（ｉｎｔｅｒｄｉｇｉｔａｌ）形式の格別な補償キャパシター（２３ａ、２３ｂ）を別個に形成していた。
【００１１】
しかし、図２に図示したように、従来の補償キャパシター（２３ａ、２３ｂ）はインターデジタル形式のキャパシターであるため、該静電容量を適切に形成するための設計が非常に複雑である、といった問題点があり、ＩＰＤ上において大きな面積を必要とするため、ＩＰＤの小型化を難しくする問題点がある。
【発明の開示】
【発明が解決しようとする課題】
【００１２】
本発明は前記従来技術の問題点を解決するために提案されたものであって、その目的は、カップリングラインと電気的に連結され、前記信号ラインと垂直方向に重畳される導電性ラインを形成し前記信号ラインと導電性ラインの間に静電容量を形成させることにより、前記カップリングラインと信号ラインの間に静電容量を補償することができる静電容量補償型方向性カプラを提供することにある。
【００１３】
さらに、本発明の他の目的は前記静電容量補償型方向性カプラを備えた多重バンド用ＩＰＤを提供することである。
【課題を解決するための手段】
【００１４】
前記目的を達成するために、本発明は、信号を伝達する信号ライン；前記信号ラインを通って伝達される信号の一部電力を抽出するように、前記信号ラインと所定間隔離隔され並んで形成され、その一端に前記抽出された電力を伝達し、他端は終端処理されたカップリングライン；及び前記カップリングラインと電気的に連結され、前記信号ラインと離隔されて垂直方向に重畳される領域を有するように前記カップリングラインから前記信号ライン方向に形成された少なくとも一つの導電性ラインを含み、前記導電性ラインと信号ラインが垂直方向に重畳された領域において静電容量を形成することにより、前記信号ラインとカップリングラインの間の静電容量を補償することを特徴とする静電容量補償型方向性カプラを提供する。
【００１５】
本発明の好ましい実施形態において、前記少なくとも一つの導電性ラインは、前記抽出された電力を伝達するカップリングライン一端に電気的に連結され、前記信号ラインと離隔され垂直方向に重畳される領域を有するよう前記カップリングラインから前記信号ライン方向に形成され得るし、前記カップリングラインから抽出された電力が前記導電性ラインを通って伝達され得る。
【００１６】
また、本発明の好ましい実施形態において、前記少なくとも一つの導電性ラインは、前記抽出された電力を伝達するカップリングライン一端の他端に電気的に連結され、前記信号ラインと離隔されて垂直方向に重畳される領域を有するよう前記カップリングラインから前記信号ライン方向に形成され得るし、前記導電性ラインの一端は終端処理され得る。
【００１７】
また、前記少なくとも一つの導電性ラインは、その幅を変更して前記信号ラインと重畳される領域の面積を調整することにより、前記信号ラインとカップリングラインの間の静電容量の大きさを調整することができる特徴を有する。
【００１８】
一方、本発明は、前記カプラを備えた多重バンド用ＩＰＤも提供する。前記多重バンド用ＩＰＤは、多重バンド移動通信端末機において、電力増幅器によって増幅された多重バンド送信信号の一部電力をそれぞれ抽出し、前記抽出された電力を前記電力増幅器の利得を制御する利得制御部に提供するための多重バンド用ＩＰＤにおいて、  
少なくとも一つの中心周波数を有する第１送信信号及び前記第１送信信号と異なる中心周波数を有する少なくとも一つの第２送信信号をそれぞれ入力として受ける第１入力端及び第２入力端；  
前記第１及び第２入力端からそれぞれ入力された前記第１及び第２送信信号をそれぞれ伝達する第１信号ライン及び第２信号ライン；  
前記第１及び第２信号ラインからそれぞれ伝達された第１及び第２送信信号を出力する第１出力端及び第２出力端；  
前記第１信号ラインを通って伝達される第１送信信号の一部電力を抽出するように、前記第１信号ラインと所定間隔離隔されて並んで形成され、その一端に前記抽出された電力を伝達し、他端は終端処理された第１カップリングライン；  
前記第１送信信号から抽出された電力を伝達する前記第１カップリングラインの一端に電気的に連結され、前記第１信号ラインと離隔されて垂直方向に重畳される領域を有するよう前記第１カップリングラインから前記第１信号ライン方向に形成され、前記第１カップリングラインから抽出された電力を伝達する第１導電性ライン；  
前記第２信号ラインを通って伝達される第２送信信号の一部電力を抽出するように、前記第２信号ラインと所定間隔離隔され並んで形成され、その一端に前記抽出された電力を伝達し、他端は終端処理された第２カップリングライン；  
前記第２送信信号から抽出された電力を伝達する前記第２カップリングラインの一端に電気的に連結され、前記第２信号ラインと離隔され垂直方向に重畳される領域を有するよう前記第２カップリングラインから前記第２信号ライン方向に形成され、前記第２カップリングラインから抽出された電力を伝達する第２導電性ライン；  
前記第１及び第２導電性ラインから伝達された電力を互いに分離させるデュプレクサ；及び  
前記デュプレクサから分離された電力を出力し、前記利得制御を行える電力制御部と連結された第３出力端を含み、  
前記第１及び第２導電性ラインと前記第１及び第２信号ラインがそれぞれ垂直方向に重畳された領域において静電容量を形成することにより、前記第１及び第２信号ラインと前記第１及び第２カップリングラインの間の静電容量をそれぞれ補償することを特徴とする。
【発明の効果】
【００１９】
本発明によれば、カップリングラインと電気的に連結され、信号ラインと垂直方向に重畳される導電性ラインを形成することにより、非常に簡単な構造より、前記信号ラインと導電性ラインの間に静電容量を形成させカプラの方向性が改善できる效果がある。
【００２０】
また、信号ラインと垂直方向に重畳される導電性ラインの幅を調節して信号ラインと導電性ラインの間に形成される静電容量を容易に調整できる效果がある。
【００２１】
さらに、信号ラインとカップリングラインの間にキャパシターを別途或いは別個に形成する必要がないので、カプラが形成されたＩＰＤの小型化が可能な效果がある。
【発明を実施するための最良の形態】
【００２２】
以下、添付された図面を参照して、本発明による静電容量補償型方向性カプラ及びこれを備えた多重バンド用ＩＰＤをより詳しく説明する。本発明に参照された図面における実質的に同一な構成と機能を有する構成要素などは同一な符号を使用する。
【００２３】
図３は本発明の一実施形態による方向性カプラを備えたＩＰＤを示した図面である。図３を参照すれば、本発明の一実施形態による方向性カプラ（３ａ、３ｂ）は、信号を伝達する信号ライン（３１ａ、３１ｂ）；前記信号ライン（３１ａ、３１ｂ）を通して伝達される信号の一部電力を抽出するように、前記信号ライン（３１ａ、３１ｂ）と所定間隔離隔され並んで形成され、その一端に前記抽出された電力を伝達し、他端は終端処理されたカップリングライン（３００ａ、３００ｂ）；及び前記カップリングライン（３００ａ、３００ｂ）と電気的に連結され、前記信号ライン（３１ａ、３１ｂ）と離隔されて垂直方向に重畳される領域を有するよう前記カップリングライン（３００ａ、３００ｂ）から前記信号ライン（３１ａ、３１ｂ）方向に形成された複数の導電性ライン（３４ａ〜３４ｄ）を含んで構成される。図３は多重バンド移動通信端末機に使用され得るＩＰＤの一例を図示する。多重バンド移動通信端末機においては、複数個の周波数バンドを高周波帯域及び低周波帯域に大きく区分して、二つの信号ラインに転送するようになる。
【００２４】
前記信号ライン（３１ａ、３１ｂ）は、移動通信端末機の送信回路から送信しようとする信号が伝達されるラインである。
【００２５】
前記カップリングライン（３００ａ、３００ｂ）は前記信号ライン（３１ａ、３１ｂ）を通って伝達される信号の一部電力を抽出するように、前記信号ライン（３１ａ、３１ｂ）と所定間隔離隔され並んで形成され、前記信号ライン（３１ａ、３１ｂ）とカップリングを発生させる。前記カップリングライン（３００ａ、３００ｂ）はその一端にカップリングによって抽出された電力を伝達し、他端は５０Ωの抵抗を有する終端処理部（３２ａ、３２ｂ）に終端処理される。前記カップリングライン（３００ａ、３００ｂ）の電力伝達が行われる一端とその他端はいずれも所定幅を有する導電性ライン（３４ａ〜３４ｄ）と電気的に各々連結され得る。
【００２６】
前記導電性ライン（３４ａ〜３４ｂ）は、前記カップリングライン（３００ａ、３００ｂ）と電気的に連結され、前記信号ライン（３１ａ、３１ｂ）と離隔され垂直方向に重畳される領域を有するよう前記カップリングライン（３００ａ、３００ｂ）から前記信号ライン（３１ａ、３１ｂ）方向に形成される。本実施形態において、前記導電性ライン（３４ａ〜３４ｄ）は、前記カップリングライン（３００ａ、３００ｂ）の電力伝達が行われる一端と連結された導電性ライン（３４ａ、３４ｂ）と前記カップリングライン（３００ａ、３００ｂ）の終端処理が行われる他端と電気的に連結された導電性ライン（３４ｃ、３４ｄ）を含む。
【００２７】
前記図３より説明される本実施形態で提示された導電性ライン（３４ａ〜３４ｄ）の連結構造は本発明を限定せず、本発明はカップリングライン（３００ａ、３００ｂ）と電気的に連結され、信号ライン（３１ａ、３１ｂ）と離隔されて垂直方向に重畳される領域を有するよう前記カップリングライン（３００ａ、３００ｂ）から前記信号ライン（３１ａ、３１ｂ）方向に形成された構造を有する導電性ラインを全て含む。
【００２８】
本実施形態において、前記カップリングライン（３００ａ、３００ｂ）の電力伝達が行われる一端と連結された導電性ライン（３４ａ、３４ｂ）は、前記カップリングライン（３００ａ、３００ｂ）から抽出された電力が前記導電性ラインを通って伝達される。図３に図示したＩＰＤにおいて、カップリングライン（３００ａ、３００ｂ）の電力伝達が行われる一端と連結された導電性ライン（３４ａ、３４ｂ）はデュプレクサ（１７）に抽出された電力を伝達する。
【００２９】
さらに、本実施形態において、抽出された電力を伝達するカップリングライン（３００ａ、３００ｂ）一端に対する他端に電気的に連結された導電性ライン（３４ｃ、３４ｄ）は、その一端が前記カップリングライン（３００ａ、３００ｂ）と電気的に連結され、その他端が５０Ωの抵抗を有する終端処理部によって終端処理され得る。
【００３０】
このようなカプラ（３ａ、３ｂ）構造において、前記導電性ライン（３４ａ〜３４ｄ）と信号ライン（３１ａ、３１ｂ）が垂直方向に重畳された領域で静電容量を形成することにより、前記信号ライン（３１ａ、３１ｂ）とカップリングライン（３００ａ、３００ｂ）の間の静電容量を補償することが可能になる。このような本発明の特徴は図４を参照した説明を通じて、より明らかになる。
【００３１】
図４は図３のｌ−ｌ’線に沿って、本発明による方向性カプラの一部を切開した断面を図示した断面図である。通常ＩＰＤは基板上に複数層の絶縁層が形成され、絶縁層の間に導電性パターンが形成された構造を有する。互いに異なる層に形成された導電性パターンは、絶縁層に形成された導電性ビアホールなどを通して電気的に連結され得る。このようなＩＰＤの構造を鑑みて図４を参照すれば、本発明によるカプラ（図３の３ａ）は、信号ライン（３１ａ）に並んでカップリングライン（３００ａ）を配置して、信号ライン（３１ａ）に転送される信号の電力の一部をカップリングライン（３００ａ）から抽出する。前記信号ライン（３１ａ）とカップリングライン（３００ａ）はＩＰＤにおいて等しい層に形成されることが好ましい。上記各ライン（３１ａ、３００ａ）の等しい層は、例えばプリント配線技術や膜形成技術などにより、同一平面上に同一の導電材料層を形成し、この導電材料層にこれら各ライン形状に相当するパターンニングを施すことによって形成できる。
【００３２】
本発明による方向性カプラの導電性ライン（３４ａ）は、前記信号ライン（３１ａ）及びカップリングライン（３００ａ）が形成された層と異なる層に形成される。これは前記導電性ライン（３４ａ）と信号ライン（３１ａ）が所定間隔離隔されて垂直方向に重畳された領域を有するようにすることにより、前記導電性ライン（３４ａ）と信号ライン（３１ａ）の間に静電容量（Ｃ）を形成するためである。前記導電性ライン（３４ａ）は前記カップリングライン（３００ａ）と電気的に連結される。この電気的連結は前記導電性ライン（３４ａ）と前記カップリングライン（３００ａ）の間に形成される導電性ビアホール（３６）によって成り得る。
【００３３】
すなわち、前記導電性ライン（３４ａ）と前記カップリングライン（３００ａ）は電気的に連結された状態であり、前記導電性ライン（３４ａ）と前記信号ライン（３１ａ）の間には静電容量（Ｃ）が形成されるので、前記カップリングライン（３００ａ）及び信号ライン（３１ａ）の間に静電容量（Ｃ）が形成される。このように、本発明は非常に簡単な構造として、カップリングライン（３００ａ）と信号ライン（３１ａ）の間に静電容量を形成することができるので、カプラの方向性を改善することができ、別途或いは別個のキャパシターをＩＰＤに形成する必要がないためＩＰＤ小型化を可能にする。また、前記導電性ライン（３４ａ）の幅を変更して前記信号ライン（３１ａ）と垂直方向に重畳された領域の面積を調節することができるので、形成される静電容量のの大きさを容易に調整することができる。
【００３４】
本発明は、前述した本発明によるカプラを備えた多重バンド用ＩＰＤを提供する。前記多重バンド用ＩＰＤは、多重バンド移動通信端末機において、電力増幅器によって増幅された多重バンド送信信号の一部電力をそれぞれ抽出し、前記抽出された電力を前記電力増幅器の利得を制御する利得制御部に提供するための部品である。
【００３５】
また、図３を参照すれば、本発明による多重バンド用ＩＰＤは、少なくとも一つの中心周波数を有する第１送信信号及び前記第１送信信号と異なる中心周波数を有する少なくとも一つの第２送信信号をそれぞれ入力を受ける第１入力端（Ｔ１）及び第２入力端（Ｔ３）；前記第１及び第２入力端（Ｔ１、Ｔ３）からそれぞれ入力された前記第１及び第２送信信号をそれぞれ伝達する第１信号ライン（３１ａ）及び第２信号ライン（３１ｂ）；前記第１及び第２信号ライン（３１ａ、３１ｂ）からそれぞれ伝達された第１及び第２送信信号を出力する第１出力端（Ｔ２）及び第２出力端（Ｔ４）；前記第１信号ライン（３１ａ）を通って伝達される第１送信信号の一部電力を抽出するように、前記第１信号ライン（３１ａ）と所定間隔離隔され並んで形成され、その一端に前記抽出された電力を伝達し、他端は終端処理された第１カップリングライン（３００ａ）；前記第１送信信号から抽出された電力を伝達する前記第１カップリングライン（３００ａ）の一端に電気的に連結され、前記第１信号ライン（３１ａ）と離隔されて垂直方向に重畳される領域を有するよう前記第１カップリングライン（３００ａ）から前記第１信号ライン（３１ａ）方向に形成され、前記第１カップリングライン（３００ａ）から抽出された電力を伝達する第１導電性ライン（３４ａ）；前記第２信号ライン（３１ｂ）を通って伝達される第２送信信号の一部電力を抽出するように、前記第２信号ライン（３１ｂ）と所定間隔離隔されて並んで形成され、その一端に前記抽出された電力を伝達し、他端は終端処理された第２カップリングライン（３００ｂ）；前記第２送信信号から抽出された電力を伝達する前記第２カップリングライン（３１ｂ）の一端に電気的に連結され、前記第２信号ライン（３１ｂ）と離隔されて垂直方向に重畳される領域を有するように前記第２カップリングライン（３００ｂ）から前記第２信号ライン（３１ｂ）方向に形成され、前記第２カップリングライン（３００ｂ）から抽出された電力を伝達する第２導電性ライン（３４ｂ）；前記第１及び第２導電性ライン（３４ａ、３４ｂ）から伝達された電力を互いに分離させるデュプレクサ（１７）；及び前記デュプレクサ（１７）から分離された電力を出力し、前記利得制御を行える電力制御部と連結された第３出力端（Ｔ５）を含んで構成される。
【００３６】
このような、本発明によるＩＰＤにおいて、前記第１信号ライン（３１ａ）と、第１カップリングライン（３００ａ）と、第１導電性ライン（３４ａ）が、前述した本発明による第１カプラ（３ａ）を構成し、前記第２信号ライン（３１ｂ）と、第２カップリングライン（３００ｂ）と、第１導電性ライン（３４ｂ）が、前述した本発明による第２カプラ（３ｂ）を構成する。
【００３７】
前記カプラ（３ａ、３ｂ）は、前記抽出された電力を伝達する第１及び第２カップリングライン（３００ａ、３００ｂ）の他端にそれぞれ電気的に連結され、前記第１及び第２信号ライン（３１ａ、３１ｂ）と離隔されて垂直方向に重畳される領域を有するよう前記第１及び第２カップリングライン（３００ａ、３００ｂ）から前記第１及び第２信号ライン方向（３１ａ、３１ｂ）にそれぞれ形成され、その一端がそれぞれ５０Ωの抵抗からなる終端処理部（３２ａ、３２ｂ）によってそれぞれ終端処理された第３導電性ライン（３４ｃ）及び第４導電性ライン（３４ｄ）をさらに含むことができる。
【００３８】
前記デュプレクサ（１７）は、前記第１カプラ（３ａ）から抽出された電力が前記第２カプラ（３ｂ）側に伝達されることを防止し、前記第２カプラ（３ｂ）から抽出された電力が前記第１カプラ（３ａ）側に伝達されることを防止する。該デュプレクサ（１７）によって互いに分離されて抽出された電力は第３出力端（Ｔ５）を通って外部に出力される。本発明によるＩＰＤが多重バンド用移動通信端末機に用いられる場合、前記第３出力端（Ｔ５）から出力された抽出電力は、電力増幅器（図１の１５ａ、１５ｂ）の利得を調節する利得制御部（図１の１８）に伝達される。
【００３９】
本発明は上述した実施形態及び添付された図面によって限定されず、添付の請求範囲により限定し、請求範囲に記載した本発明の技術的思想に外れない範囲内で多様な形態の置換、変形及び変更が可能であるということは当技術分野の通常の知識を持った者には自明である。
【図面の簡単な説明】
【００４０】
【図１】方向性カプラが適用された移動通信端末機の送受信回路の概略構成図である。
【図２】図１の‘Ａ’をＩＰＤで製作した従来の一例を図示した図面である。
【図３】本発明による方向性カプラを備えたＩＰＤの一例を図示した図面である。
【図４】図３のｌ−ｌ’線に沿って本発明による方向性カプラの一部を切開した断面を図示した断面図である。
【符号の説明】
【００４１】
１７    デュプレクサ
３ａ、３ｂ    方向性カプラ
３１ａ、３１ｂ    信号ライン
３００ａ、３００ｂ    カップリングライン
３２ａ、３２ｂ    終端処理部
３４ａ〜３４ｄ    導電性ライン
Ｔ１〜Ｔ５    入力端／出力端
【図１】
2006229941.tif 000003
【図２】
2006229941.tif 000004
【図３】
2006229941.tif 000005
【図４】
2006229941.tif 000006